(57)【要約】【課題】本発明は、ＭＥＭＳミラーのフレームへの取付作業を容易に行うことができる光走査装置を提供することを主たる課題とする。【解決手段】光走査装置１は、光を出射する光源ユニット１０と、光源ユニット１０を支持するフレーム４０と、回転振動することで、光源ユニット１０から出射された光の反射方向を変化させて走査を行う振動ミラーと、振動ミラーを保持するミラーパッケージ２２と、振動ミラーの回転振動軸と直交する方向へ延び、かつ、ミラーパッケージ２２よりも長く形成される長尺状の梁状部材５０と、ミラーパッケージ２２を梁状部材５０に固定させる第１固定部材６０と、梁状部材５０をフレーム４０に固定させる第２固定部材７０とを備えている。【選択図】図１
2008185723.tif 000002
【特許請求の範囲】
【請求項１】
光を出射する光源と、
前記光源を支持するフレームと、
回転振動することで、前記光源から出射された光の反射方向を変化させて走査を行う振動ミラーと、
振動ミラーを保持する振動ミラー保持部材と、
前記振動ミラーの回転振動軸と直交する方向へ延び、かつ、前記振動ミラー保持部材よりも長く形成される長尺状の梁状部材と、
前記振動ミラー保持部材を前記梁状部材に固定させる第１固定部材と、
前記梁状部材を前記フレームに固定させる第２固定部材とを備えたことを特徴とする光走査装置。
【請求項２】
前記第２固定部材によって、前記梁状部材における１次固有振動の節となる２個所が前記フレームに固定されることを特徴とする請求項１に記載の光走査装置。
【請求項３】
前記第２固定部材によって、さらに前記梁状部材における２次固有振動の節となる２個所が前記フレームに固定されることを特徴とする請求項２に記載の光走査装置。
【請求項４】
前記第２固定部材は、弾性部材を利用して前記梁状部材を挟持することを特徴とする請求項２に記載の光走査装置。
【請求項５】
前記第２固定部材は、
前記梁状部材に当接する第１突起および第２突起と、前記弾性部材との間で前記梁状部材を挟持するとともに、
前記梁状部材に当接する第３突起と、前記弾性部材との間で前記梁状部材を挟持することを特徴とする請求項４に記載の光走査装置。
【請求項６】
前記第１突起または前記第２突起が、前記弾性部材の押圧力の方向に沿って進退自在に構成されることを特徴とする請求項５に記載の光走査装置。
【請求項７】
前記第１固定部材は、前記振動ミラー保持部材を前記梁状部材に対して押し付けて固定させる押さえ部を含んで構成されることを特徴とする請求項１〜請求項６のいずれか１項に記載の光走査装置。
【請求項８】
前記梁状部材には、前記振動ミラー保持部材を前記振動ミラーの回転振動軸に沿った傾動軸で傾動自在に支持する傾動用突起が設けられ、
前記押さえ部は、
前記振動ミラー保持部材の前記傾動軸よりも一端側を押圧する弾性変形可能な第１押さえ部と、
前記振動ミラー保持部材の前記傾動軸よりも他端側を押圧し、かつ、前記梁状部材の長手方向に沿って移動自在となる弾性変形可能な第２押さえ部とを備えて構成されていることを特徴とする請求項７に記載の光走査装置。
【請求項９】
前記第１固定部材は、
前記振動ミラー保持部材に係合して、前記振動ミラー保持部材を前記梁状部材の幅方向において位置決めする係合部を含んで構成されていることを特徴とする請求項７または請求項８に記載の光走査装置。
【請求項１０】
前記第１固定部材は、
前記振動ミラー保持部材の表面のうち前記傾動軸が規定される部位の裏面に当接する弾性変形可能な第３押さえ部を含んで構成されていることを特徴とする請求項８または請求項９に記載の光走査装置。
【請求項１１】
前記梁状部材に、
前記振動ミラーの回転振動軸を前記第１突起、第２突起および第３突起で規定される面内に位置させる凹部を設けたことを特徴とする請求項６に記載の光走査装置。
【発明の詳細な説明】
【技術分野】
【０００１】
本発明は、ＭＥＭＳミラーを備えた光走査装置に関する。
【背景技術】
【０００２】
一般に、画像形成装置として、帯電された感光ドラムに対して光走査装置によって光ビームを走査することで、感光ドラム上に静電潜像を形成し、その静電潜像に現像剤を供給することにより形成される現像剤像を用紙に転写することで、用紙に所定の画像を形成するものが知られている。
【０００３】
このような画像形成装置に設けられる光走査装置においては、従来、回転振動するＭＥＭＳ（Micro-Electro-Mechanical  Systems）ミラーを用いて走査を行うものが知られている（例えば特許文献１参照）。
【０００４】
【特許文献１】特開２００４−１９８５００号公報
【発明の開示】
【発明が解決しようとする課題】
【０００５】
ところで、ＭＥＭＳミラーは非常に小さいものなので、取り扱いが難しく、例えば複数のリブが形成されたフレーム内に直接取り付けるには、非常に困難となる場合があった。また、ＭＥＭＳミラーは、高周波で回転振動するため、周囲の部品を通して騒音が発生するおそれがあった。
【０００６】
そこで、本発明は、ＭＥＭＳミラーのフレームへの取付作業を容易に行うことができる光走査装置を提供することを主たる課題とする。
【課題を解決するための手段】
【０００７】
前記課題を解決するため、本発明に係る光走査装置は、光を出射する光源と、前記光源を支持するフレームと、回転振動することで、前記光源から出射された光の反射方向を変化させて走査を行う振動ミラーと、振動ミラーを保持する振動ミラー保持部材と、前記振動ミラーの回転振動軸と直交する方向へ延び、かつ、前記振動ミラー保持部材よりも長く形成される長尺状の梁状部材と、前記振動ミラー保持部材を前記梁状部材に固定させる第１固定部材と、前記梁状部材を前記フレームに固定させる第２固定部材とを備えたことを特徴とする。
【０００８】
本発明によれば、振動ミラーが振動ミラー保持部材を介して振動ミラーよりも大きな梁状部材に取り付けられるので、振動ミラーよりも取り扱い易い梁状部材をフレームに固定させるだけで、振動ミラーが簡単にフレームに取り付けられることとなる。
【発明の効果】
【０００９】
本発明によれば、梁状部材をフレームに固定させるだけで、振動ミラーがフレームに取り付けられることとなるので、振動ミラーのフレームへの取付作業を容易にすることができる。
【発明を実施するための最良の形態】
【００１０】
次に、本発明の実施形態について、適宜図面を参照しながら詳細に説明する。参照する図面において、図１は本発明の一実施形態に係る光走査装置を示す斜視図であり、図２は光走査装置の各構成部品と光のルートを示す概略図である。最初に、図１および図２を参照して光走査装置１の全体構造について簡単に説明する。
【００１１】
［光走査装置１］
図１に示すように、光走査装置１は、光源ユニット１０と、第１ミラーＭ１と、振動ミラーユニット２０と、走査光学系レンズとしての第１走査レンズ３０と、第２走査レンズＬと、第２ミラーＭ２と、これらを支持するフレーム４０と、フレーム４０の下側に配設される第３ミラーＭ３（図２参照）とを主に備えて構成されている。
【００１２】
［光源ユニット１０］
図２に示すように、光源ユニット１０は、レーザダイオード１１と、カップリングレンズ１２と、絞り部材１３と、シリンドリカルレンズ１４とを備えて構成されている。そして、レーザダイオード１１から出射されたレーザビームは、カップリングレンズ１２、絞り部材１３およびシリンドリカルレンズ１４を通った後、第１ミラーＭ１で反射され、振動ミラーユニット２０に向かって照射される。
【００１３】
［振動ミラーユニット２０］
振動ミラーユニット２０は、その内部に、所定範囲で回転振動することで、第１ミラーＭ１側から出射されてくる光の反射方向を変化させて走査を行う振動ミラー２１を備えて構成されている。そして、この振動ミラー２１で反射された光は、第１走査レンズ３０および第２走査レンズＬを通った後、第２ミラーＭ２および第３ミラーＭ３で反射されて、光走査装置１外へ出射される。なお、光走査装置１外へ出射された光は、複写機やレーザプリンタ等の画像形成装置内の感光体（感光ドラム等）に投射されることで、感光体上の静電潜像の形成に寄与する。
【００１４】
次に、振動ミラーユニット２０の詳細について説明する。参照する図面において、図３はミラーパッケージを示す拡大斜視図であり、図４は梁状部材を示す拡大斜視図（ａ）と、上面図（ｂ）である。また、図５は第１固定部材を後側から見た状態を示す拡大斜視図（ａ）と、前側から見た状態を示す拡大斜視図（ｂ）であり、図６は第２固定部材を示す拡大斜視図（ａ）と、正面図（ｂ）である。なお、以下の説明における前後、左右、上下の方向については、図１に示す方向を基準とする。
【００１５】
図１に示すように、振動ミラーユニット２０は、振動ミラー保持部材としてのミラーパッケージ２２と、長尺状の梁状部材５０と、ミラーパッケージ２２を梁状部材５０に固定させる第１固定部材６０と、梁状部材５０をフレーム４０に固定させる第２固定部材７０とを主に備えて構成されている。
【００１６】
ミラーパッケージ２２は、図３に示すように、中空の矩形のケース状に形成されており、その内部で振動ミラー２１を保持している。具体的に、振動ミラー２１は、この振動ミラー２１よりも一回り大きな開口を有する板状の支持体（図示せず）に軸部を介して一体に形成されることでＭＥＭＳミラーを構成している。そして、このＭＥＭＳミラーの支持体がミラーパッケージ２２に固定されることで、振動ミラー２１がミラーパッケージ２２に対して揺動自在となっている。
【００１７】
また、ミラーパッケージ２２には、その前壁２２ａに振動ミラー２１を露出させるための開口部２２ｂが形成されている。
【００１８】
図１に示すように、梁状部材５０は、長尺状の部材であり、振動ミラー２１の回転振動軸ＲＡ（図３参照）と直交する方向へ延び、かつ、ミラーパッケージ２２よりも長く形成されている。梁状部材５０とミラーパッケージ２２の上下方向の長さ（回転振動軸ＲＡ方向の長さ）は、ほぼ同一である。また、図４（ａ）に示すように、梁状部材５０の中央部５１には、ミラーパッケージ２２を傾動自在に支持する一対の傾動用突起５１ａが上下方向に沿って設けられている。これにより、図４（ｂ）に示すように、ミラーパッケージ２２が、振動ミラー２１の回転振動軸ＲＡに沿った傾動軸ＴＡを中心にして傾動自在となっている。
【００１９】
また、一対の傾動用突起５１ａの間には、ミラーパッケージ２２の開口部２２ｂに対応する開口部５１ｂが形成されている。これにより、梁状部材５０の前側から入射されてくる光が開口部５１ｂを通ってミラーパッケージ２２内の振動ミラー２１に投射され、この振動ミラー２１で反射された光が開口部５１ｂを通って梁状部材５０の前方に出射される。
【００２０】
また、梁状部材５０の中央部５１は、その両側の被支持部５２よりも前方へ膨出するように形成されており、これにより、梁状部材５０の後側に凹部５３が形成されるようになっている。そして、凹部５３の深さは、図４（ｂ）に示すように、振動ミラー２１の回転振動軸ＲＡが被支持部５２の後面５２ａの面内に位置するような深さで形成されている。言い換えると、後述する第２固定部材７０（図６参照）の球状突起７１ｄ、ネジ７５の先端７５ａおよびベース部７２ｆで規定される面内に、振動ミラー２１の回転振動軸ＲＡが位置するように、凹部５３の深さが設定されている。
【００２１】
図５（ａ）に示すように、第１固定部材６０は、ミラーパッケージ２２を梁状部材５０に対して押し付けて固定させる押さえ部の一例としての右側押付部材６１および左側押付部材６２を備える他、ミラーパッケージ２２を梁状部材５０に対して位置決めするための位置決め部材６３を備えている。
【００２２】
右側押付部材６１は、梁状部材５０に固定される基部６１ａと、基部６１ａに一体に形成される右側押さえ部６１ｂ、中央押さえ部６１ｃおよびフランジ６１ｄとを備えて構成されている。
【００２３】
基部６１ａには、その上縁部に切り欠き部６１ｅが形成されるとともに、その略中央部に図示せぬボルト取付孔が形成されている。なお、切り欠き部６１ｅは、梁状部材５０の被支持部５２に形成された孔５２ｅに適宜取り付けられるピンと合致するようになっており、これにより、右側押付部材６１を梁状部材５０にボルトＢで固定させる際に、ボルトＢと一緒に右側押付部材６１が連れ回ることが防止される。
【００２４】
右側押さえ部６１ｂは、第１押さえ部の一例であり、基部６１ａの右側の端縁の下部から一旦後方に延びた後、左方へ延びるように形成されることで、弾性変形可能に構成されている。そして、この右側押さえ部６１ｂは、その左方へ延びる部分の長さや、左方へ延びる部分と後方へ延びる部分とのなす角が適宜設定されることで、ミラーパッケージ２２の傾動軸ＴＡよりも右側を押圧するように構成されている。
【００２５】
中央押さえ部６１ｃは、第３押さえ部の一例であり、基部６１ａの右側の端縁の上部から一旦後方に延びた後、右側押さえ部６１ｂよりも左方へ長く延びるように形成されることで、弾性変形可能に構成されている。そして、この中央押さえ部６１ｃは、その左方へ延びる部分の長さや、左方へ延びる部分と後方へ延びる部分とのなす角が適宜設定されることで、ミラーパッケージ２２の後面の左右方向における中央を押圧するように構成されている。言い換えると、この中央押さえ部６１ｃは、ミラーパッケージ２２の前面のうち傾動軸ＴＡが規定される部位の後面に当接するように構成されている。
【００２６】
フランジ６１ｄは、基部６１ａの左側の端縁から後方に向けて立設されている。これにより、中央押さえ部６１ｃの強度が向上されている。
【００２７】
左側押付部材６２は、梁状部材５０に固定される基部６２ａと、基部６２ａに一体に形成される左側押さえ部６２ｂとを備えて構成されている。
【００２８】
基部６２ａは、その上部に左方へ延びる延在部６２ｃを有しており、この延在部６２ｃには、左右方向へ延びる長孔６２ｄが形成されている。また、基部６２ａの下縁には、梁状部材５０の前面側に回り込む係合爪部６２ｅ（図５（ｂ）参照）が形成されている。これにより、左側押付部材６２をボルトＢで梁状部材５０に仮止めした後は、長孔６２ｄと係合爪部６２ｅの作用によって、左側押付部材６２が左右に移動自在となる。
【００２９】
左側押さえ部６２ｂは、第２押さえ部の一例であり、基部６２ａの左側の端縁の下部から一旦後方に延びた後、右方へ延びるように形成されることで、弾性変形可能に構成されている。また、この左側押さえ部６２ｂの先端部６２ｆは、前方へ向かって湾曲するように形成されるとともに、先端に向かうにつれて徐々に幅狭となる先細形状に形成されている。さらに、この先端部６２ｆの先端は、円弧状に形成されている。
【００３０】
そして、この左側押さえ部６２ｂは、その右方へ延びる部分の長さや、右方へ延びる部分と後方へ延びる部分とのなす角や先端部６２ｆの湾曲形状が適宜設定されることで、ミラーパッケージ２２の傾動軸ＴＡよりも左側を押圧するように構成されている。
【００３１】
位置決め部材６３は、梁状部材５０の前面に取り付けられる基部６３ａと、基部６３ａの上下端から後方に延びる上壁６３ｂおよび下壁６３ｃと、上壁６３ｂおよび下壁６３ｃの後端から互いに向き合う方向に延びる一対の係合部６３ｄとを備えて構成されている。
【００３２】
基部６３ａには、図１に示すように、梁状部材５０の開口部５１ｂ（図４（ａ）参照）に対応した開口部６３ｅが形成されている。また、上壁６３ｂおよび下壁６３ｃは、ともに、その後部が後方に向かうにつれて徐々に幅狭となるように形成され、その最も幅狭となる後端に係合部６３ｄが形成されている。
【００３３】
係合部６３ｄは、ミラーパッケージ２２の上下面に係合しており、これにより、ミラーパッケージ２２が上下方向（梁状部材５０の幅方向）において位置決めされるようになっている。具体的に、この係合部６３ｄは、上壁６３ｂまたは下壁６３ｃの後端からミラーパッケージ２２側に向かうにつれて徐々に幅狭となっていき、その先端が先細となるように形成されている。
【００３４】
図６（ａ）に示すように、第２固定部材７０は、ミラーパッケージ２２の左側に配設される左側ブロック７１と、ミラーパッケージ２２の右側に配設される右側ブロック７２と、各ブロック７１，７２の上面に固定される２つの板ばね７３とを備えて構成されている。
【００３５】
左側ブロック７１は、略四角柱状に形成されており、その上面には、板ばね７３の回り止め用の突起７１ａが形成されている。また、左側ブロック７１の前面の上部には、左右に貫通する溝７１ｂが形成され、この溝７１ｂの底面に前後に貫通する長孔７１ｃが形成されている。そして、この溝７１ｂ内には、溝７１ｂに沿って摺動自在となるブロック支持部材７４が設けられ、このブロック支持部材７４には、ネジ孔７４ａが形成されている。これにより、ブロック支持部材７４とフレーム４０との間で左側ブロック７１を挟み込んだ状態で、図示せぬネジをネジ孔７４ａに捩じ込むことで、左側ブロック７１がフレーム４０に固定される。また、ネジを仮止め状態にした場合には、左側ブロック７１は、溝７１ｂに沿って左右に移動可能となり、フレーム４０に対する左右への位置調整が容易となっている。
【００３６】
また、左側ブロック７１の前面の右側端部には、その中央の適所に、前方へ突出する第３突起の一例としての球状突起７１ｄが形成されるとともに、その下部の適所に前方へ突出する略Ｌ字状の支持部７１ｅが形成されている。そして、支持部７１ｅは、矩形の板状に形成されるベース部７１ｆと、ベース部７１ｆの下部から前方へ突出する半円柱状の台部７１ｇとからなり、この台部７１ｇの曲面で梁状部材５０を支持している。
【００３７】
右側ブロック７２は、左側ブロック７１と同様の突起７２ａ、溝７２ｂ、長孔７２ｃ、ブロック支持部材７４を備える他、右側ブロック７２の前面の左側端部に設けられるネジ７５および支持部７２ｅを備えている。ネジ７５は、右側ブロック７２の後方から捩じ込まれており、その先端７５ａが右側ブロック７２の前面から突出するようになっている。なお、このように突出するネジ７５の先端７５ａは、第１突起の一例に相当する。そして、このネジ７５の先端７５ａは、ネジ７５を回転させることで、前後方向（板ばね７３の押圧力に沿う方向）に進退自在となっている。
【００３８】
また、支持部７２ｅは、左側ブロック７１の台部７１ｇと同様の台部７２ｇを備える他、左側ブロック７１のベース部７１ｆよりも厚く形成されるベース部７２ｆを備えている。そのため、この右側ブロック７２におけるベース部７２ｆが、左側ブロック７１におけるベース部７１ｆよりも前方へ突出して、梁状部材５０と当接するようになっている。なお、このように突出するベース部７２ｆは、第２突起の一例に相当する。
【００３９】
そして、このベース部７２ｆと、前記したネジ７５の先端７５ａと、前記した球状突起７１ｄとによって、梁状部材５０が三点支持されるようになっている。また、三点支持された梁状部材５０は、ネジ７５の先端７５ａが適宜前後に進退することで、その煽り角が調整され、ひいては、振動ミラー２１の煽り角が調整されるようになっている。
【００４０】
板ばね７３は、梁状部材５０を各ブロック７１，７２に押圧するための弾性部材であり、各ブロック７１，７２の上面に固定される基部７３ａと、基部７３ａに一体に形成されるアーム部７３ｂとを備えて構成されている。
【００４１】
基部７３ａは、２つの孔を有し、一方の孔に各ブロック７１，７２の突起７１ａ，７２ａを係合させた状態で、他方の孔からネジＮを各ブロック７１，７２に捩じ込むことで、各ブロック７１，７２に固定されるようになっている。なお、このとき、一方の孔が突起７１ａ，７２ａに係合することにより、板ばね７３を各ブロック７１，７２にネジＮで固定させる際に、ネジＮと一緒に板ばね７３が連れ回ることが防止される。
【００４２】
アーム部７３ｂは、基部７３ａの前端縁のうちミラーパッケージ２２側の部分から上方に延びた後、前方へ延び、その後下方へ延びることで、弾性変形可能に構成されている。そして、このアーム部７３ｂの先端の左右方向における位置は、基部７３ａが各ブロック７１，７２に固定された状態において、球状突起７１ｄまたはネジ７５の先端７５ａおよびベース部７２ｆの位置と一致するようになっている（図６（ｂ）参照）。すなわち、梁状部材５０は、アーム部７３ｂと球状突起７１ｄとの間で挟持されるとともに、アーム部７３ｂとネジ７５の先端７５ａおよびベース部７２ｆとの間で挟持されるようになっている。
【００４３】
そして、以上のように構成される第２固定部材７０で梁状部材５０を固定する際には、各ブロック７１，７２を適宜位置調整することで、図６（ｂ）に示すように、梁状部材５０における１次固有振動の一方の節Ｆ１に球状突起７１ｄと板ばね７３を位置させ、他方の節Ｆ１にネジ７５の先端７５ａ、ベース部７２ｆおよび板ばね７３を位置させる。これにより、振動ミラー２１の回転振動に伴って振動する梁状部材５０から発生する騒音を良好に抑えることが可能となっている。
【００４４】
ここで、本実施形態では、１次固有振動の節Ｆ１，Ｆ１のみにおいて梁状部材５０をフレーム４０に固定させたが、本発明はこれに限定されず、２次固有振動の節Ｆ２，Ｆ２のみにおいて梁状部材５０をフレーム４０に固定させてもよいし、１次固有振動の節Ｆ１，Ｆ１と２次固有振動の節Ｆ２，Ｆ２において梁状部材５０をフレーム４０に固定させてもよい。なお、１次固有振動の節Ｆ１，Ｆ１と２次固有振動の節Ｆ２，Ｆ２の両方において梁状部材５０をフレーム４０に固定させた場合には、梁状部材５０から発生する騒音をより抑えることができる。
【００４５】
次に、フレーム４０に対する振動ミラー２１の取付方法について説明する。
まず、図３に示すように、振動ミラー２１をミラーパッケージ２２内に固定する。続いて、このミラーパッケージ２２を、図４（ａ）に示す梁状部材５０の凹部５３内にセットした後、図５（ａ）に示すように、位置決め部材６３をミラーパッケージ２２に係合させることで、ミラーパッケージ２２を梁状部材５０上において位置決めする。
【００４６】
次に、右側押付部材６１を梁状部材５０に固定するとともに、左側押付部材６２を梁状部材５０に仮止めする。そして、仮止めした左側押付部材６２を適宜左右にスライドさせることで、ミラーパッケージ２２の傾動軸ＴＡ回りで釣り合っていた左回りのモーメントと右回りのモーメントとのバランスが崩れてミラーパッケージ２２が傾動し、所定の角度において各モーメントが再び釣り合ったところでミラーパッケージ２２が止まる。これにより、ミラーパッケージ２２の傾動軸ＴＡを中心とした傾きが調整される。そして、この調整の完了後に、ボルトＢを本締めすることで左側押付部材６２を梁状部材５０に固定する。これにより、ミラーパッケージ２２が所定の傾きで梁状部材５０に固定される。
【００４７】
次に、図６（ａ）に示す各ブロック７１，７２をフレーム４０に仮止めした後、各ブロック７１，７２の台部７１ｇ，７２ｇ上に梁状部材５０を載置する。続いて、各ブロック７１，７２と板ばね７３との間で梁状部材５０を挟持させつつ、板ばね７３を各ブロック７１，７２に固定する。その後は、板ばね７３の位置が１次固有振動の節Ｆ１，Ｆ１に位置するように、仮止めした各ブロック７１，７２をスライドして調整する。なお、節Ｆ１，Ｆ１には、予め塗料や切り欠き等で印を付けておくのが望ましい。
【００４８】
各ブロック７１，７２の位置調整後は、図示せぬネジを締め付けることで、各ブロック７１，７２をフレーム４０に固定する。その後は、ネジ７５を適宜調整することで、梁状部材５０の煽り角、ひいては振動ミラー２１の煽り角を調整する。以上により、振動ミラー２１が適正な位置・角度でフレーム４０に取り付けられることとなる。
【００４９】
以上によれば、本実施形態において以下のような効果を得ることができる。
振動ミラー２１がミラーパッケージ２２を介して振動ミラー２１よりも大きくて取り扱い易い梁状部材５０に取り付けられるので、振動ミラー２１のフレーム４０への取付作業を容易にすることができる。また、振動ミラー２１の位置や角度の調整も、取り扱い易い梁状部材５０を動かせば達成されるので、その調整作業も容易となる。
【００５０】
第２固定部材７０によって梁状部材５０における１次固有振動の節Ｆ１，Ｆ１がフレーム４０（詳しくは、フレーム４０に固定される各ブロック７１，７２）に固定されるので、梁状部材５０から発生する騒音を良好に抑えることができる。
第２固定部材７０が板ばね７３を含んで構成されるので、梁状部材５０の位置調整を容易に行うことができる。
【００５１】
梁状部材５０を三点支持する突起のうちの１つが、前後に進退自在なネジ７５の先端７５ａで構成されているので、ネジ７５を回転することで簡単に梁状部材５０（振動ミラー２１）の煽り角を調整することができる。
一対の傾動用突起５１ａで傾動自在に支持されるミラーパッケージ２２の左側を押さえる左側押付部材６２が左右に移動自在となっているので、ミラーパッケージ２２の傾きを簡単に調整することができる。また、左側押付部材６２における左側押さえ部６２ｂの先端部６２ｆが先細で、かつ、円弧状に形成されているので、左側押付部材６２の左右への移動をスムーズにすることができる。
【００５２】
ミラーパッケージ２２の後面の中央を押圧する中央押さえ部６１ｃを設けたので、ミラーパッケージ２２を確実に傾動用突起５１ａに当接させることができる。
梁状部材５０に形成した凹部５３によって、振動ミラー２１の回転振動軸ＲＡが梁状部材５０の後面５２ａの面内に位置するので、ネジ７５の先端７５ａを進退させて梁状部材５０の後面５２ａの煽り角を調整すると、この後面５２ａと同じ角度で振動ミラー２１の煽り角も調整されることとなる。すなわち、後面５２ａの面から外れた位置に回転振動軸ＲＡが位置する場合には、調整前後の後面５２ａの角度差と、調整前後の振動ミラー２１の角度差に誤差が生じるが、後面５２ａの面内に回転振動軸ＲＡを位置させることで、このような問題が解消される。
【００５３】
なお、本発明は前記実施形態に限定されることなく、以下に例示するように様々な形態で利用できる。
前記実施形態では、弾性部材として板ばね７３を採用したが、本発明はこれに限定されず、コイルスプリングなどであってもよい。
【００５４】
前記実施形態では、板ばね７３で梁状部材５０を各ブロック７１，７２に押圧させるように構成したが、本発明はこれに限定されず、例えば板ばね７３をフレームに直接固定することで梁状部材をフレームに対して直接押圧させてもよい。
前記実施形態では、第１固定部材６０や第２固定部材７０をそれぞれ複数の部品で構成したが、本発明はこれに限定されず、１つの部品で構成してもよい。
【００５５】
前記実施形態では、振動ミラー２１を横向き（フレーム４０の底壁と略平行な向き）に配置したが、本発明はこれに限定されず、振動ミラー２１の向きを上向き（底壁とは反対側の開口へ向かう向き）または下向き（底壁へ向かう向き）としてもよい。具体的には、上向きとする場合には、例えば図７および図８に示すような構造とすることができる。
【００５６】
すなわち、図７および図８に示す構造では、図２に示した光源ユニット１０、第１ミラーＭ１および振動ミラーユニット２０の配置を適宜変更し、その他の部品（第１走査レンズ３０、第２走査レンズＬ、第２ミラーＭ２、第３ミラーＭ３）の配置は略同じにした構成となっている。具体的には、図７に示すように、振動ミラー２１が上向きとなるように、振動ミラーユニット２０がフレーム４０の底面側に配置される。また、振動ミラーユニット２０の上方には、振動ミラー２１から反射されてきた光を第１走査レンズ３０へ反射させる向きで、第１ミラーＭ１が配置される。さらに、第１ミラーＭ１の右前方には、光源ユニット１０が配置されており、この光源ユニット１０から出射される光が第１ミラーＭ１を介して振動ミラー２１に到達するようになっている。
【００５７】
以上のような構成では、光源ユニット１０から光を出射すると、その光は、第１ミラーＭ１に反射されて振動ミラー２１に到達する。そして、その光は、振動ミラー２１で適宜振られて反射され、第１ミラーＭ１で再び反射された後、第１走査レンズ３０、第２走査レンズＬ、第２ミラーＭ２および第３ミラーＭ３を順次通過・反射して外部へ出射される。以上のような構成によれば、第１ミラーＭ１と振動ミラーユニット２０を上下方向で並べることができるので、装置の小型化を図ることができる。
【００５８】
また、振動ミラー２１を下向きとする場合は、例えば図９に示すように、振動ミラー２１が下向きとなるように、振動ミラーユニット２０がフレーム４０の上側に配置される。また、振動ミラーユニット２０の下方には、振動ミラー２１から反射されてきた光を第１走査レンズ３０へ反射させる向きで、第１ミラーＭ１が配置される。さらに、第１ミラーＭ１の前方（第１走査レンズ３０よりも右または左にずれた前方）には、光源ユニット１０が配置されており、この光源ユニット１０から出射される光が第１ミラーＭ１を介して振動ミラー２１に到達するようになっている。また、第２ミラーＭ２は、光を上側へ反射させる向きで配置され、第３ミラーＭ３は、第１走査レンズ３０と第２走査レンズＬとの間を反射した光が抜ける向きで配置される。以上のような構成によれば、振動ミラー２１を上向きとした構成と同様に、第１ミラーＭ１と振動ミラーユニット２０を上下方向で並べることができるので、装置の小型化を図ることができる。
【図面の簡単な説明】
【００５９】
【図１】本発明の一実施形態に係る光走査装置を示す斜視図である。
【図２】光走査装置の各構成部品と光のルートを示す概略図である。
【図３】ミラーパッケージを示す拡大斜視図である。
【図４】梁状部材を示す拡大斜視図（ａ）と、上面図（ｂ）である。
【図５】第１固定部材を後側から見た状態を示す拡大斜視図（ａ）と、前側から見た状態を示す拡大斜視図（ｂ）である。
【図６】第２固定部材を示す拡大斜視図（ａ）と、正面図（ｂ）である。
【図７】振動ミラーが上向きとなった形態を示す側面図である。
【図８】振動ミラーが上向きとなった形態を示す平面図である。
【図９】振動ミラーが下向きとなった形態を示す側面図である。
【符号の説明】
【００６０】
１      光走査装置
１０    光源ユニット
２０    振動ミラーユニット
２１    振動ミラー
２２    ミラーパッケージ
４０    フレーム
５０    梁状部材
５１ａ  傾動用突起
５２    被支持部
５２ａ  後面
５３    凹部
６０    第１固定部材
６１    右側押付部材
６１ｂ  右側押さえ部
６１ｃ  中央押さえ部
６２    左側押付部材
６２ｂ  左側押さえ部
６２ｆ  先端部
６３    位置決め部材
６３ｄ  係合部
７０    第２固定部材
７１    左側ブロック
７１ｄ  球状突起
７２    右側ブロック
７２ｅ  支持部
７２ｆ  ベース部
７２ｇ  台部
７３    板ばね
７５    ネジ
７５ａ  先端
Ｆ１，Ｆ２  節
ＲＡ    回転振動軸
ＴＡ    傾動軸
【図１】
2008185723.tif 000003
【図２】
2008185723.tif 000004
【図３】
2008185723.tif 000005
【図４】
2008185723.tif 000006
【図５】
2008185723.tif 000007
【図６】
2008185723.tif 000008
【図７】
2008185723.tif 000009
【図８】
2008185723.tif 000010
【図９】
2008185723.tif 000011